(57)【要約】【課題】台紙の表面に対するシュリンクフィルムの固着が不用意に解除されることはなく、容器の正常な展示状態を維持することができる吊り下げ展示用包装具を提供する。【解決手段】吊り下げ展示用包装具は、所定面積を有する台紙１３と、台紙１３の表面１７において上下方向へ延びる帯状の接着領域と、台紙１３の表面１７に配置されて容器１１を包装するシュリンクフィルム１５と、フィルム１５の内側であって台紙１３と容器１１との間に配置されたトレー１６Ａとから形成され、容器１１とトレー１６Ａとが熱収縮したフィルム１５に密着包装され、フィルム１５の台紙１３に対向する固着部位がトレー１６Ａの介在下に接着領域に塗布された接着剤を介して台紙１３の表面１７に面で固着されている。【選択図】図１
2013216353.tif 000002
【特許請求の範囲】
【請求項１】
円形の周面を有する容器を吊り下げて展示する吊り下げ展示用包装具であって、
前記吊り下げ展示用包装具が、所定面積を有する台紙と、前記台紙の表面において一方向へ延びる帯状の接着領域と、前記台紙の表面に配置されて前記容器を包装する一方向へ長い筒状のシュリンクフィルムと、前記シュリンクフィルムの内側であって前記台紙と前記容器との間に配置された一方向へ長い板状のトレーとから形成され、前記容器と前記トレーとが、熱収縮した前記シュリンクフィルムに密着包装され、前記シュリンクフィルムの前記台紙に対向する固着部位が、前記トレーの介在下に前記接着領域に塗布された接着剤を介して前記台紙の表面に固着されていることを特徴とする吊り下げ展示用包装具。
【請求項２】
前記吊り下げ展示用包装具では、前記トレーが透明なプラスチックシートから作られ、前記トレーの一方向へ延びる両側縁部が前記容器の周面に沿って曲げられ、前記トレーの両側縁部を除く中央部が前記接着領域に対向し、前記シュリンクフィルムの固着部位が前記トレーの中央部を介して前記接着領域に面で固着されている請求項１に記載の吊り下げ展示用包装具。
【請求項３】
前記トレーの両側縁部には、該両側縁部を前記容器の周面に沿って折り曲げるための折り曲げ線が作られ、前記折り曲げ線が、前記プラスチックシートに形成された凹部である請求項２に記載の吊り下げ展示用包装具。
【請求項４】
前記吊り下げ展示用包装具では、前記台紙を貫通する一方向へ長い開口が該台紙の前記容器に対抗する部位に作られ、前記接着領域が前記開口を挟んで第１接着領域と第２接着領域とに分かれ、前記容器の一部が前記開口を通して前記台紙の裏面側から視認可能である請求項２または請求項３に記載の吊り下げ展示用包装具。
【請求項５】
前記吊り下げ展示用包装具では、前記トレーが厚紙から作られ、前記トレーの一方向へ延びる両側縁部が前記容器の周面に沿って曲げられ、前記トレーの両側縁部を除く中央部が前記接着領域に対向し、前記シュリンクフィルムの固着部位が前記トレーの中央部を介して前記接着領域に面で固着されている請求項１に記載の吊り下げ展示用包装具。
【請求項６】
前記トレーの両側縁部には、該両側縁部を前記容器の周面に沿って折り曲げるための折り曲げ線が作られ、前記折り曲げ線が、前記厚紙に形成された切り込みである請求項５に記載の吊り下げ展示用包装具。
【請求項７】
前記吊り下げ展示用包装具では、前記台紙を貫通する一方向へ長い開口が該台紙の前記容器に対抗する部位に作られ、前記接着領域が前記開口を挟んで第１接着領域と第２接着領域とに分かれ、前記トレーを貫通する開口が前記台紙の開口に対向する該トレーの対向部位に作られ、前記容器の一部がそれら開口を通して前記台紙の裏面側から視認可能である請求項５または請求項６に記載の吊り下げ展示用包装具。
【発明の詳細な説明】
【技術分野】
【０００１】
本発明は、熱によって収縮するシュリンクフィルムを利用し、円形の周面を有する容器を吊り下げて展示する吊り下げ展示用包装具に関する。
【背景技術】
【０００２】
フックに吊り下げられる係止孔を有する上下方向へ長い矩形の台紙と、台紙の表面に配置されて容器を包装する一方向へ長い筒状のシュリンクフィルムとから形成され、基端部を残して台紙に切込みを設けることによって上下方向へ並ぶ一対の係合舌片を作り、それら係合舌片の対向側を幅広にするとともにその反対側を幅狭とすることによって係止段部を作り、それら係止段部に熱収縮したシュリンクフィルムを係合固定した吊り下げ展示用包装具が開示されている（特許文献１参照）。
【先行技術文献】
【特許文献】
【０００３】
【特許文献１】特開平８−４０４５６号公報
【発明の概要】
【発明が解決しようとする課題】
【０００４】
前記特許文献１に開示の吊り下げ展示用包装具は、シュリンクフィルムが台紙の上下方向へ並ぶ係合舌片の係止段部に係合した状態で台紙に固定されているが、シュリンクフィルムを台紙から剥離させる方向への力がシュリンクフィルムや容器に作用すると、それら係止段部におけるシュリンクフィルムの係合が不用意に解除される場合がある。いずれか一方の係止段部におけるシュリンクフィルムの係合が解除された場合、シュリンクフィルムとともに容器が台紙から落下したり、シュリンクフィルムとともに容器が台紙にぶら下がった状態になり、容器の正常な展示状態を維持することができない場合がある。また、この吊り下げ展示用包装具は、台紙が邪魔になって台紙の裏面側から容器の周面を視認することができない。
【０００５】
本発明の目的は、台紙の表面に対するシュリンクフィルムの固着が不用意に解除されることはなく、容器の正常な展示状態を維持することができる吊り下げ展示用包装具を提供することにある。本発明の他の目的は、台紙の裏面側から容器の周面を視認することができる吊り下げ展示用包装具を提供することにある。
【課題を解決するための手段】
【０００６】
前記課題を解決するための本発明の前提は、円形の周面を有する容器を吊り下げて展示する吊り下げ展示用包装具である。
【０００７】
前記前提における本発明の特徴としては、吊り下げ展示用包装具が、所定面積を有する台紙と、台紙の表面において一方向へ延びる帯状の接着領域と、台紙の表面に配置されて容器を包装する一方向へ長い筒状のシュリンクフィルムと、シュリンクフィルムの内側であって台紙と容器との間に配置された一方向へ長い板状のトレーとから形成され、容器とトレーとが熱収縮したシュリンクフィルムに密着包装され、シュリンクフィルムの台紙に対向する固着部位がトレーの介在下に接着領域に塗布された接着剤を介して台紙の表面に固着されていることにある。
【０００８】
本発明の一例として、吊り下げ展示用包装具では、トレーが透明なプラスチックシートから作られ、トレーの一方向へ延びる両側縁部が容器の周面に沿って曲げられ、トレーの両側縁部を除く中央部が接着領域に対向し、シュリンクフィルムの固着部位がトレーの中央部を介して接着領域に面で固着されている。
【０００９】
本発明の他の一例として、トレーの両側縁部には、その両側縁部を容器の周面に沿って折り曲げるための折り曲げ線が作られ、折り曲げ線がプラスチックシートに形成された凹部である。
【００１０】
本発明の他の一例として、吊り下げ展示用包装具では、台紙を貫通する一方向へ長い開口がその台紙の容器に対抗する部位に作られ、接着領域が開口を挟んで第１接着領域と第２接着領域とに分かれ、容器の一部が開口を通して台紙の裏面側から視認可能である。
【００１１】
本発明の他の一例として、吊り下げ展示用包装具では、トレーが厚紙から作られ、トレーの一方向へ延びる両側縁部が容器の周面に沿って曲げられ、トレーの両側縁部を除く中央部が接着領域に対向し、シュリンクフィルムの固着部位がトレーの中央部を介して接着領域に面で固着されている。
【００１２】
本発明の他の一例として、トレーの両側縁部には、その両側縁部を容器の周面に沿って折り曲げるための折り曲げ線が作られ、折り曲げ線が厚紙に形成された切り込みである。
【００１３】
本発明の他の一例として、吊り下げ展示用包装具では、台紙を貫通する一方向へ長い開口がその台紙の容器に対抗する部位に作られ、接着領域が開口を挟んで第１接着領域と第２接着領域とに分かれ、トレーを貫通する開口が台紙の開口に対向するトレーの対向部位に作られ、容器の一部がそれら開口を通して台紙の裏面側から視認可能である。
【発明の効果】
【００１４】
本発明にかかる吊り下げ展示用包装具によれば、シュリンクフィルムの台紙に対向する固着部位がトレーの介在下に接着領域に塗布された接着剤を介して台紙の表面に固着されているから、シュリンクフィルムに密着包装された容器の周面が円形であったとしても、トレーによってシュリンクフィルムが接着領域に面で固着され、シュリンクフィルムが接着領域に線で固着されることはなく、シュリンクフィルムを台紙の表面にしっかりと固着することができる。吊り下げ展示用包装具は、シュリンクフィルムを台紙から剥離させる方向への力がシュリンクフィルムや容器に作用したとしても、台紙表面の接着領域におけるシュリンクフィルムの固着が不用意に解除されることはなく、容器の正常な展示状態を維持することができる。
【００１５】
トレーが透明なプラスチックシートから作られ、トレーの一方向へ延びる両側縁部が容器の周面に沿って曲げられ、トレーの両側縁部を除く中央部が接着領域に対向し、シュリンクフィルムの固着部位がトレーの中央部を介して接着領域に面で固着されている吊り下げ展示用包装具は、プラスチックシートから作られたトレーの両側縁部が容器の周面に沿って曲げられており、容器の周面がトレーに支持された状態で容器がシュリンクフィルムに密着包装されるから、トレーの縁によってシュリンクフィルムが破損することはなく、シュリンクフィルムによる容器の綺麗な包装状態を維持することができる。吊り下げ展示用包装具は、トレーの中央部を介してシュリンクフィルムの固着部位が接着領域に面で固着されるから、シュリンクフィルムが接着領域に線で固着されることはなく、シュリンクフィルムを台紙の表面にしっかりと固着することができる。吊り下げ展示用包装具は、シュリンクフィルムを台紙から剥離させる方向への力がシュリンクフィルムや容器に作用したとしても、台紙表面の接着領域におけるシュリンクフィルムの固着が不用意に解除されることはなく、容器の正常な展示状態を維持することができる。
【００１６】
トレーの両側縁部を容器の周面に沿って折り曲げるための切り込み線が両側縁部に作られ、その折り曲げ線がプラスチックシートに形成された凹部である吊り下げ展示用包装具は、シュリンクフィルムを熱収縮させてシュリンクフィルムによって容器とトレーとを包装する場合、プラスチックシートから作られたトレーの両側縁部が折り曲げ線によって容易に折れ曲がり、容器の周面がトレーに支持された状態で容器がシュリンクフィルムに密着包装されるから、トレーの縁によってシュリンクフィルムが破損することはなく、シュリンクフィルムによる容器の綺麗な包装状態を維持することができる。
【００１７】
台紙を貫通する一方向へ長い開口が台紙の容器に対抗する部位に作られ、接着領域が開口を挟んで第１接着領域と第２接着領域とに分かれ、容器の一部が開口を通して台紙の裏面側から視認可能な吊り下げ展示用包装具は、台紙が邪魔になることはなく、台紙の裏面側から容器の周面を視認することができ、台紙の裏面側から容器の周面に画かれた名称やマーク等の容器を特定する記述を認識することができる。吊り下げ展示用包装具は、接着領域が開口を挟んで第１接着領域と第２接着領域とに分かれており、トレーを介してシュリンクフィルムの固着部位が第１および第２接着領域に面で固着されるから、シュリンクフィルムがそれら接着領域に線で固着されることはなく、シュリンクフィルムを台紙の表面にしっかりと固着することができ、台紙表面の接着領域におけるシュリンクフィルムの固着が不用意に解除されることはなく、容器の正常な展示状態を維持することができる。
【００１８】
トレーが厚紙から作られ、トレーの一方向へ延びる両側縁部が容器の周面に沿って曲げられ、トレーの両側縁部を除く中央部が接着領域に対向し、シュリンクフィルムの固着部位がトレーの中央部を介して接着領域に面で固着されている吊り下げ展示用包装具は、厚紙から作られたトレーの両側縁部が容器の周面に沿って曲げられており、容器の周面がトレーに支持された状態で容器がシュリンクフィルムに密着包装されるから、トレーの縁によってシュリンクフィルムが破損することはなく、シュリンクフィルムによる容器の綺麗な包装状態を維持することができる。吊り下げ展示用包装具は、トレーの中央部を介してシュリンクフィルムの固着部位が接着領域に面で固着されるから、シュリンクフィルムが接着領域に線で固着されることはなく、シュリンクフィルムを台紙の表面にしっかりと固着することができる。吊り下げ展示用包装具は、シュリンクフィルムを台紙から剥離させる方向への力がシュリンクフィルムや容器に作用したとしても、台紙表面の接着領域におけるシュリンクフィルムの固着が不用意に解除されることはなく、容器の正常な展示状態を維持することができる。
【００１９】
トレーの両側縁部を容器の周面に沿って折り曲げるための折り曲げ線が両側縁部に作られ、その折り曲げ線が厚紙に形成された切り込みである吊り下げ展示用包装具は、シュリンクフィルムを熱収縮させてシュリンクフィルムによって容器とトレーとを包装する場合、厚紙から作られたトレーの両側縁部が折り曲げ線によって折れ曲がり、容器の周面がトレーに支持された状態で容器がシュリンクフィルムに密着包装されるから、トレーの縁によってシュリンクフィルムが破損することはなく、シュリンクフィルムによる容器の綺麗な包装状態を維持することができる。
【００２０】
台紙を貫通する一方向へ長い開口が台紙の容器に対抗する部位に作られ、接着領域が開口を挟んで第１接着領域と第２接着領域とに分かれ、トレーを貫通する開口が台紙の開口に対向するトレーの対向部位に作られ、容器の一部がそれら開口を通して台紙の裏面側から視認可能な吊り下げ展示用包装具は、台紙が邪魔になることはなく、台紙の裏面側から容器の周面を視認することができ、台紙の裏面側から容器の周面に画かれた名称やマーク等の容器を特定する記述を認識することができる。吊り下げ展示用包装具は、接着領域が開口を挟んで第１接着領域と第２接着領域とに分かれており、トレーを介してシュリンクフィルムの固着部位が第１および第２接着領域に面で固着されるから、シュリンクフィルムがそれら接着領域に線で固着されることはなく、シュリンクフィルムを台紙の表面にしっかりと固着することができ、台紙表面の接着領域におけるシュリンクフィルムの固着が不用意に解除されることはなく、容器の正常な展示状態を維持することができる。
【図面の簡単な説明】
【００２１】
【図１】一例として示す吊り下げ展示用包装具の斜視図。
【図２】図１のＡ−Ａ線端面図。
【図３】容器やトレーをシュリンクフィルムに収容する前の状態で示す吊り下げ展示用包装具の斜視図。
【図４】容器やトレーをシュリンクフィルムに収容した後の状態で示す吊り下げ展示用包装具の斜視図。
【図５】一例として示すトレーの平面図。
【図６】図５のＢ−Ｂ線端面図。
【図７】他の一例として示す吊り下げ展示用包装具の斜視図。
【図８】容器やトレーをシュリンクフィルムに収容する前の状態で示す吊り下げ展示用包装具の斜視図。
【図９】他の一例として示すトレーの平面図。
【図１０】図９のＣ−Ｃ線端面図。
【図１１】台紙の裏面側から示す吊り下げ展示用包装具の斜視図。
【図１２】他の一例として示す吊り下げ展示用包装具の斜視図。
【図１３】容器やトレーをシュリンクフィルムに収容する前の状態で示す吊り下げ展示用包装具の斜視図。
【図１４】他の一例として示すトレーの平面図。
【図１５】図１４のＤ−Ｄ線端面図。
【図１６】台紙の裏面側から示す吊り下げ展示用包装具の斜視図。
【発明を実施するための形態】
【００２２】
一例として示す吊り下げ展示用包装具１０Ａの斜視図である図１等の添付の図面を参照し、本発明にかかる吊り下げ展示用包装具の詳細を説明すると、以下のとおりである。なお、図２は、図１のＡ−Ａ線端面図であり、図３は、容器１１やトレー１６Ａをシュリンクフィルム１５に収容する前の状態で示す吊り下げ展示用包装具１０Ａの斜視図である。図４は、容器１１やトレー１６Ａをシュリンクフィルム１５に収容した後の状態で示す吊り下げ展示用包装具１０Ａの斜視図であり、図５は、一例として示すトレー１６Ａの平面図である。図６は、図５のＢ−Ｂ線端面図である。
【００２３】
図１，５では、上下方向（一方向）を矢印Ｌで示し、横方向を矢印Ｍで示す。図２では、熱収縮する前のシュリンクフィルム１５を二点鎖線で示し、熱収縮した後のシュリンクフィルム１５を実線で示す。図３，４では、シュリンクフィルム１５が熱収縮する前であって容器１１やトレー１６Ａがフィルム１５にシュリンク包装（密着包装）される前の状態で示す。
【００２４】
吊り下げ展示用包装具１０Ａは、容器１１を包装・支持しつつ、その容器１１を吊り下げて展示する場合に利用される。容器１１は、上下方向へ長い筒状に成型され、図２に示すように、円形の周面１２を有する。容器１１の内部には、たとえば、液体状や泡状の化粧品（製品）が収容される。吊り下げ展示用包装具１０Ａは、台紙１３および接着領域１４と、シュリンクフィルム１５およびトレー１６Ａとから形成されている。
【００２５】
台紙１３は、上下方向（一方向）へ長い厚紙から作られ、所定面積の表面１７および裏面１８を有する。なお、厚紙の他に、板状のプラスチックシートによって台紙１３を作ることもできる。台紙１３は、上下方向へ並行して延びる両側縁部１９，２０と、両側縁部１９，２０の間に位置する中央部２１と、横方向へ弧を画いて延びる上端縁部２２と、横方向へ直状に延びる下端縁部２３とを有する。台紙１３の上端縁部２２には、吊り下げ用フック（図示せず）に挿通する挿通孔２４が作られている。
【００２６】
台紙１３の挿通孔２４に吊り下げ用フックを挿通することで、包装具１０Ａを吊り下げることができ、容器１１を展示することができる。台紙１３の面積について特に限定はないが、容器１１の平面形状よりも大きい面積に作られていればよい。なお、台紙１３の平面形状について特に限定はなく、台紙１３の平面形状を図示の形状以外のあらゆる形状にすることができる。
【００２７】
接着領域１４は、台紙１３の表面１７であって、台紙１３の両側縁部１９，２０と上端縁部２２とを除く中央部２１に形成されている。接着領域１４は、帯状を呈し、台紙１３の中央部２１において上下方向へ延びており、台紙１３の下端縁部２３に達している。接着領域１４には、接着剤が塗布されている。接着剤には、ＥＶＡ（酢ビ系）やＰＰ（ポリプロピレン系）のホットメルト接着剤が使用されている。接着領域１４が台紙１３の中央部２１に形成されているが、領域１４の形成箇所について特に限定はなく、たとえば、領域１４が台紙１３の側縁部１９または側縁部２０に形成されていてもよく、領域１４が台紙１３の上端縁部２２を含む中央部２１に形成されていてもよい。
【００２８】
接着領域１４の上下方向の寸法は、容器１１を包装したシュリンクフィルム１５が台紙１３から容易に脱落しない程度の接着力を発揮する寸法であればよく、フィルム１５の上下方向の寸法と略同一またはフィルム１５の上下方向の寸法よりもわずかに短いことが好ましい。接着領域１４の横方向の寸法は、容器１１を包装したシュリンクフィルム１５が台紙１３から容易に脱落しない程度の接着力を発揮する寸法であればよく、容器１１の重量や周長に応じて適宜決定することができる。
【００２９】
シュリンクフィルム１５は、上下方向へ長い筒状を呈し、台紙１３の表面１７であって台紙１３の中央部２１に配置され、台紙１３の下端縁部２３に達している。シュリンクフィルム１５は、加熱されて収縮し、容器１１およびトレー１６Ａを密着下にシュリンク包装する。シュリンクフィルム１５には、ＰＯ（ポリオレフィン）やＰＶＣ（ポリ塩化ビニル）、ＰＥ（ポリエチレン）、ＰＰ（ポリプロピレン）、ＰＳ（ポリスチレン）、ＰＥＴ（ポリエステル）のいずれかを使用することができる。シュリンクフィルム１５の上下方向の寸法や横方向の寸法は、包装する容器１１の長さや周長に合わせて適宜決定することができる。
【００３０】
トレー１６Ａは、図５に示すように、上下方向へ長い板状の厚紙から作られ、所定面積の表面２５および裏面２６を有する。トレー１６Ａは、上下方向へ延びる両側縁部２７，２８と、両側縁部２７，２８の間に位置する中央部２９と、横方向へ延びる上下端縁部３０，３１とを有する。トレー１６Ａでは、側縁部２７，２８と端縁部３０，３１とが交差する角部が切除（面取）されている。トレー１６Ａの両側縁部２７，２８には、上下方向へ間欠的に延びる折り曲げ線３２Ａが作られている。折り曲げ線３２Ａは、図６に示すように、厚紙に形成された上下方向へ延びる切り込みである。トレーの両側縁部２７，２８は、それら折り曲げ線３２Ａによって容易に折り曲げることができる。
【００３１】
トレー１６Ａの上下方向の寸法やトレー１６Ａの中央部２９の横方向の寸法に特に限定はないが、トレー１６Ａの上下方向の寸法は、台紙１３に形成された接着領域１４の上下方向の寸法と略同一または領域１４の上下方向の寸法よりもわずかに短いことが好ましい。トレー１６Ａの中央部２９の横方向の寸法は、接着領域１４の横方向の寸法と略同一または領域１４の横方向の寸法よりもわずかに長いことが好ましい。なお、トレー１６Ａの両側縁部２７，２８に折り曲げ線３２Ａが作られていなくてもよい。
【００３２】
図１の吊り下げ展示用包装具１０Ａを作成する手順の一例を説明すると、以下のとおりである。台紙１３の表面１７の中央部２１から下端縁部２３に形成された接着領域１４に接着剤を塗布した後、その接着剤を介してシュリンクフィルム１５の台紙１３に対向する固着部位３３を領域１４に貼付する。固着部位３３を接着領域１４に貼付すると、領域１４の全域にフィルム１５の固着部位３３が固着され、領域１４にフィルム１５が面で接合する。
【００３３】
次に、トレー１６Ａの中央部２９の裏面２６が接着領域１４に対向するように、シュリンクフィルム１５の上部開口３４からフィルム１５の内側にトレー１６Ａを挿入し、フィルム１５の内側にトレー１６Ａを配置する。さらに、フィルム１５の上部開口３４からフィルム１５の内側に容器１１を挿入し、フィルム１５の内側に容器１１を収容する。なお、フィルム１５の内側へのトレー１６Ａの挿入時には、トレー１６Ａの両側縁部２７，２８が折り曲げ線３２Ａを介してあらかじめ折り曲げられている。
【００３４】
シュリンクフィルム１５の内側に容器１１とトレー１６Ａとを収容すると、容器１１の周面１２の一部がトレー１６Ａの表面２５に対向するとともに、トレー１６Ａが台紙１３と容器１１との間に配置され、トレー１６Ａの中央部２９が接着領域１４の上に位置する。シュリンクフィルム１５の内側に容器１１とトレー１６Ａとを収容した後、フィルム１５に熱を加え、フィルム１５を加熱する。シュリンクフィルム１５を加熱すると、フィルム１５が熱収縮し、容器１１とトレー１６Ａとをシュリンク包装する。
【００３５】
フィルム１５が熱収縮すると、図２に実線で示すように、フィルム１５が容器１１の周面１２およびトレー１６Ａの裏面２６に密着するとともに、トレー１６Ａの両側縁部２７，２８が容器１１の周面１２に沿ってさらに折れ曲がり、両側縁部２７，２８が容器１１の周面１２に当接する。なお、トレー１６Ａが存在しない場合、フィルム１５が熱収縮すると、フィルム１５が容器１１の周面１２に沿って湾曲し、それによって固着部位３３が湾曲することで、固着部位３３が部分的に接着領域１４から剥がれ、固着部位３３が領域１４の一部に線で固着する。固着部位３３が領域１４の一部に線で固着すると、台紙１３に対するフィルム１５の固着力が弱くなり、台紙１３の接着領域１４から容器１１を包装したフィルム１５が剥がれ、容器１１が台紙１３から落下したり、フィルム１５とともに容器１１が台紙１３にぶら下がった状態になり、容器１１の正常な展示状態を維持することができない場合がある。
【００３６】
しかし、この吊り下げ展示用包装具１０Ａは、台紙１３と容器１１との間にトレー１６Ａが配置されており、トレー１６Ａの上下方向へ延びる平坦な中央部２９の略全域が台紙１３の接着領域１４の全域に当接するから、シュリンクフィルム１５を加熱し、フィルム１５を熱収縮させた場合であっても、フィルム１５の固着部位３３が領域１４の一部に線で固着されることはなく、フィルム１５の固着部位３３がトレー１６Ａの中央部２９を介して台紙１３の表面１７における接着領域１４の略全域に面で固着される。
【００３７】
なお、台紙１３の表面１７や裏面１８に容器１１に収納された化粧品（製品）の名称や使用方法、性能等の記述をすることができるとともに、所定の意匠を施すことができる。容器１１の外観や容器１１の周面１２に表示された名称やマーク等の記述は、シュリンクフィルム１５を通して台紙１３の表面１７側から確認することができる。
【００３８】
吊り下げ展示用包装具１０Ａは、シュリンクフィルム１５の台紙１３に対向する固着部位３３がトレー１６Ａの中央部２９の介在下に接着領域１４に塗布された接着剤を介して台紙１３の表面１７に面で固着されているから、フィルム１５に密着包装された容器１１の周面１２が円形であったとしても、トレー１６Ａによってフィルム１５が接着領域１４に面で固着され、フィルム１５が領域１４に線で固着されることはなく、フィルム１５を台紙１３の表面１７にしっかりと固着することができる。
【００３９】
吊り下げ展示用包装具１０Ａは、シュリンクフィルム１５を台紙１３から剥離させる方向への力がフィルム１５や容器１１に作用したとしても、台紙１３の表面１７の接着領域１４におけるフィルム１５の固着が不用意に解除されることはなく、容器１１の正常な展示状態を維持することができる。吊り下げ展示用包装具１０Ａは、厚紙から作られたトレー１６Ａの両側縁部２７，２８が折り曲げ線３２Ａによって容器１１の周面１２に沿って折れ曲がり、容器１１の周面１２がトレー１６Ａに支持された状態で容器１１がシュリンクフィルム１５に密着包装されるから、トレー１６Ａの縁によってフィルム１５が破損することはなく、フィルム１５による容器１１の綺麗な包装状態を維持することができる。
【００４０】
図７は、他の一例として示す吊り下げ展示用包装具１０Ｂの斜視図であり、図８は、容器１１やトレー１６Ｂをシュリンクフィルム１５に収容する前の状態で示す吊り下げ展示用包装具１０Ｂの斜視図である。図９は、他の一例として示すトレー１６Ｂの平面図であり、図１０は、図９のＣ−Ｃ線端面図である。図１１は、台紙１３の裏面１８側から示す吊り下げ展示用包装具１０Ｂの斜視図である。図７，９では、上下方向（一方向）を矢印Ｌで示し、横方向を矢印Ｍで示す。図８では、シュリンクフィルム１５が熱収縮する前であって容器１１やトレー１６Ｂがフィルム１５にシュリンク包装（密着包装）される前の状態で示す。
【００４１】
吊り下げ展示用包装具１０Ｂは、図１のそれと同様に、台紙１３および接着領域１４と、シュリンクフィルム１５およびトレー１６Ｂとから形成されている。この吊り下げ展示用包装具１０Ｂが図１のそれと異なるところは、台紙１３にそれを貫通する開口３５が形成されている点、トレー１６Ｂが透明なプラスチックシートから作られている点にあり、その他の構成は図１の吊り下げ展示用包装具１０Ａと同一であるから、図１と同一の符号を付すとともに、図１の説明を援用することで、この吊り下げ展示用包装具１０Ｂのその他の構成の詳細な説明は省略する。
【００４２】
台紙１３は、上下方向（一方向）へ長い厚紙から作られ、所定面積の表面１７および裏面１８を有する。台紙１３の上端縁部２２には、吊り下げ用フックに挿通する挿通孔２４が作られている。台紙１３の下端縁部２３の側の中央部２１には、台紙１３を貫通する上下方向へ長い矩形の開口３５が作られている。吊り下げ展示用包装具１０Ｂでは、シュリンクフィルム１５によって包装された後の容器１１に対向する台紙１３の部位に開口３５が作られる。したがって、容器１１に対向する台紙１３の部位が台紙１３の側縁部２２や側縁部２３である場合、その側縁部２２，２３に開口３５が作られる。開口３５はその形状が矩形であるが、開口３５の形状を矩形に限定するものではなく、あらゆる形状にすることができる。
【００４３】
接着領域１４は、開口３５を挟んで第１接着領域１４Ａと第２接着域１４Ｂとに分かれている。第１接着域１４Ａは、帯状を呈し、開口３５の上方であって台紙１３の中央部２１に位置して上下方向へ延びている。第２接着領域１４Ｂは、帯状を呈し、開口３５の下方に位置して台紙１３の下端縁部２３に延びている。第１および第２接着領域１４Ａ，１４Ｂには、ホットメルト接着剤が塗布されている。シュリンクフィルム１５は、図１のそれと同一であり、上下方向へ長い筒状を呈し、台紙１３の表面１７であって台紙１３の中央部２１に配置され、台紙１３の下端縁部２３に達している。
【００４４】
トレー１６Ｂは、図９に示すように、上下方向へ長い板状の透明なプラスチックシートから作られ、所定面積の表面２５および裏面２６を有する。トレー１６Ｂは、上下方向へ延びる両側縁部２７，２８と、両側縁部２７，２８の間に位置する中央部２９と、横方向へ延びる上下端縁部３０，３１とを有する。トレー１６Ｂでは、側縁部２７，２８と端縁部３０，３１とが交差する角部が切除されている。トレー１６Ｂの両側縁部２７，２８には、上下方向へ延びる折り曲げ線３２Ｂが作られている。折り曲げ線３２Ｂは、図１０に示すように、プラスチックシートに形成された上下方向へ延びる凹部である。トレー１６Ｂの両側縁部２７，２８は、それら折り曲げ線３２Ｂによって容易に折り曲げることができる。
【００４５】
図７の吊り下げ展示用包装具１０Ｂを作成する手順の一例を説明すると、以下のとおりである。台紙１３の表面１７の中央部２１から下端縁部２３に形成された第１および第２接着領域１４Ａ，１４Ｂに接着剤を塗布した後、その接着剤を介してシュリンクフィルム１５の台紙１３に対向する固着部位３３を領域１４Ａ，１４Ｂに貼付する。固着部位３３を接着領域１４Ａ，１４Ｂに貼付すると、領域１４Ａ，１４Ｂの全域にフィルム１５の固着部位３３が固着され、領域１４Ａ，１４Ｂにフィルム１５が面で接合する。なお、シュリンクフィルム１５の固着部位３３の一部が開口３５に位置する。
【００４６】
次に、トレー１６Ｂの中央部２９の裏面２６が接着領域１４Ａ，１４Ｂ（開口３５を含む）に対向するように、シュリンクフィルム１５の上部開口３４からフィルム１５の内側にトレー１６Ｂを挿入し、フィルム１５の内側にトレー１６Ｂを配置する。さらに、フィルム１５の上部開口３４からフィルム１５の内側に容器１１を挿入し、フィルム１５の内側に容器１１を収容する。なお、フィルム１５の内側へのトレー１６Ｂの挿入時には、トレー１６Ｂの両側縁部２７，２８が折り曲げ線３２Ｂを介してあらかじめ折り曲げられている。
【００４７】
シュリンクフィルム１５の内側に容器１１とトレー１６Ｂとを収容すると、容器１１の周面１２の一部がトレー１６Ｂの表面２５に対向するとともに、トレー１６Ｂが台紙１３と容器１１との間に配置され、トレー１６Ｂの中央部２９が台紙１３の開口３５を除く第１および第２接着領域１４Ａ，１４Ｂの上に位置する。シュリンクフィルム１５の内側に容器１１とトレー１６Ｂとを収容した後、フィルム１５に熱を加え、フィルム１５を加熱する。
【００４８】
シュリンクフィルム１５を加熱すると、フィルム１５が熱収縮し、容器１１とトレー１６Ｂとをシュリンク包装する。フィルム１５が熱収縮すると、フィルム１５が容器１１の周面１２およびトレー１６Ｂの裏面２６に密着するとともに、トレー１６Ｂの両側縁部２７，２８が容器１１の周面１２に沿ってさらに折れ曲がり、両側縁部２７，２８が容器１１の周面１２に当接する（図２援用）。
【００４９】
吊り下げ展示用包装具１０Ｂは、台紙１３と容器１１との間にトレー１６Ｂが配置されており、トレー１６Ｂの上下方向へ延びる平坦な中央部２９の略全域が台紙１３の第１および第２接着領域１４Ａ，１４Ｂの全域に当接するから、シュリンクフィルム１５を加熱し、フィルム１５を熱収縮させた場合であっても、フィルム１５の固着部位３３が領域１４Ａ，１４Ｂの一部に線で固着されることはなく、フィルム１５の固着部位３３がトレー１６Ｂの中央部２９を介して台紙１３の表面１７における領域１４Ａ，１４Ｂの略全域に面で固着される。
【００５０】
なお、台紙１３の表面１７や裏面１８に容器１１に収納された化粧品（製品）の名称や使用方法、性能等の記述をすることができるとともに、所定の意匠を施すことができる。容器１１の外観や容器１１の周面１２に表示された名称やマーク等の記述は、シュリンクフィルム１５を通して台紙１３の表面１７側から確認することができる。
【００５１】
吊り下げ展示用包装具１０Ｂは、シュリンクフィルム１５の台紙１３に対向する固着部位３３がトレー１６Ｂの中央部２９の介在下に第１および第２接着領域１４Ａ，１４Ｂに塗布された接着剤を介して台紙１３の表面１７に面で固着されているから、フィルム１５に密着包装された容器１１の周面１２が円形であったとしても、トレー１６Ｂによってフィルム１５が領域１４Ａ，１４Ｂに面で固着され、フィルム１５が領域１４Ａ，１４Ｂに線で固着されることはなく、フィルム１５を台紙１３の表面１７にしっかりと固着することができる。吊り下げ展示用包装具１０Ｂは、シュリンクフィルム１５を台紙１３から剥離させる方向への力がフィルム１５や容器１１に作用したとしても、台紙１３の表面１７の第１および第２接着領域１４Ａ，１４Ｂにおけるフィルム１５の固着が不用意に解除されることはなく、容器１１の正常な展示状態を維持することができる。
【００５２】
吊り下げ展示用包装具１０Ｂは、厚紙から作られたトレー１６Ｂの両側縁部２７，２８が折り曲げ線３２Ｂによって容器１１の周面１２に沿って折れ曲がり、容器１１の周面１２がトレー１６Ｂに支持された状態で容器１１がシュリンクフィルム１５に密着包装されるから、トレー１６Ｂの縁によってフィルム１５が破損することはなく、フィルム１５による容器１１の綺麗な包装状態を維持することができる。吊り下げ展示用包装具１０Ｂは、開口３５を通して台紙１３の裏面１８側から容器１１の周面１２を視認することができ、台紙１３の裏面１８側から容器１１の周面１２に表示された名称やマーク等の記述を認識することができる。
【００５３】
図１２は、他の一例として示す吊り下げ展示用包装具１０Ｃの斜視図であり、図１３は、容器１１やトレー１６Ｃをシュリンクフィルム１５に収容する前の状態で示す吊り下げ展示用包装具１０Ｃの斜視図である。図１４は、他の一例として示すトレー１６Ｃの平面図であり、図１５は、図１４のＤ−Ｄ線端面図である。図１６は、台紙１３の裏面１８側から示す吊り下げ展示用包装具１０Ｃの斜視図である。図１２，１４では、上下方向（一方向）を矢印Ｌで示し、横方向を矢印Ｍで示す。図１３では、シュリンクフィルム１５が熱収縮する前であって容器１１やトレー１６Ｃがフィルム１５にシュリンク包装（密着包装）される前の状態で示す。
【００５４】
吊り下げ展示用包装具１０Ｃは、図１のそれと同様に、台紙１３および接着領域１４と、シュリンクフィルム１５およびトレー１６Ｃとから形成されている。この吊り下げ展示用包装具１０Ｃが図１のそれと異なるところは、台紙１３にそれを貫通する開口３５が形成されている点、トレー１６Ｃにそれを貫通する開口３６が形成されている点にあり、その他の構成は図１の吊り下げ展示用包装具１０Ａと同一であるから、図１と同一の符号を付すとともに、図１の説明を援用することで、この吊り下げ展示用包装具１０Ｃのその他の構成の詳細な説明は省略する。
【００５５】
台紙１３は、上下方向（一方向）へ長い厚紙から作られ、所定面積の表面１７および裏面１８を有する。台紙１３の上端縁部２２には、吊り下げ用フックに挿通する挿通孔２４が作られている。台紙１３の下端縁部２３の側の中央部２１には、台紙１３を貫通する上下方向へ長い矩形の開口３５が作られている。吊り下げ展示用包装具１０Ｃでは、シュリンクフィルム１５によって包装された後の容器１１に対向する台紙１３の部位に開口３５が作られる。したがって、容器１１に対向する台紙１３の部位が台紙１３の側縁部２２や側縁部２３である場合、その側縁部２２，２３に開口３５が作られる。
【００５６】
接着領域１４は、開口３５を挟んで第１接着領域１４Ａと第２接着域１４Ｂとに分かれている。第１接着域１４Ａは、帯状を呈し、開口３５の上方であって台紙１３の中央部２１に位置して上下方向へ延びている。第２接着領域１４Ｂは、帯状を呈し、開口３５の下方に位置して台紙１３の下端縁部２３に延びている。第１および第２接着領域１４Ａ，１４Ｂには、ホットメルト接着剤が塗布されている。シュリンクフィルム１５は、図１のそれと同一であり、上下方向へ長い筒状を呈し、台紙１３の表面１７であって台紙１３の中央部２１に配置され、台紙１３の下端縁部２３に達している。
【００５７】
トレー１６Ｃは、図１４に示すように、上下方向へ長い板状の厚紙から作られ、所定面積の表面２５および裏面２６を有する。トレー１６Ｃは、上下方向へ延びる両側縁部２７，２８と、両側縁部２７，２８の間に位置する中央部２９と、横方向へ延びる上下端縁部３０，３１とを有する。トレー１６Ｃでは、側縁部２７，２８と端縁部３０，３１とが交差する角部が切除されている。トレー１６Ｃの両側縁部２７，２８には、上下方向へ間欠的に延びる折り曲げ線３２Ａが作られている。折り曲げ線３２Ａは、図１５に示すように、厚紙に形成された上下方向へ延びる切り込みである。トレー１６Ｃの両側縁部２７，２８は、それら折り曲げ線３２Ａによって容易に折り曲げることができる。
【００５８】
トレー１６Ｃの下端縁部３１の側に位置する中央部２９には、トレー１６Ｃを貫通する上下方向へ長い矩形の開口３６が作られている。開口３６は、シュリンクフィルム１５の内側にトレー１６Ｃを配置したときの、台紙１３に作られた開口３５の位置に一致するトレー１６Ｃの部位に作られる。開口３６の面積は、開口３５のそれと略同一である。開口３６はその形状が矩形であるが、開口３６の形状を矩形に限定するものではなく、開口３５の形状と同一であればあらゆる形状にすることができる。
【００５９】
図１２の吊り下げ展示用包装具１０Ｃを作成する手順の一例を説明すると、以下のとおりである。台紙１３の表面１７の中央部２１から下端縁部２３に形成された第１および第２接着領域１４Ａ，１４Ｂに接着剤を塗布した後、その接着剤を介してシュリンクフィルム１５の台紙１３に対向する固着部位３３を領域１４Ａ，１４Ｂに貼付する。固着部位３３を接着領域１４Ａ，１４Ｂに貼付すると、領域１４Ａ，１４Ｂの全域にフィルム１５の固着部位３３が固着され、領域１４Ａ，１４Ｂにフィルム１５が面で接合する。なお、シュリンクフィルム１５の固着部位３３の一部が開口３５に位置する。
【００６０】
次に、トレー１６Ｃの中央部２９の裏面２６が接着領域１４Ａ，１４Ｂ（開口３５を含む）に対向するとともに、トレー１６Ｃの開口３６が台紙１３の開口３５に対向するように、シュリンクフィルム１５の上部開口３４からフィルム１５の内側にトレー１６Ｃを挿入し、フィルム１５の内側にトレー１６Ｃを配置する。さらに、フィルム１５の上部開口３４からフィルム１５の内側に容器１１を挿入し、フィルム１５の内側に容器１１を収容する。なお、フィルム１５の内側へのトレー１６Ｃの挿入時には、トレー１６Ｃの両側縁部２７，２８が折り曲げ線３２Ａを介してあらかじめ折り曲げられている。
【００６１】
シュリンクフィルム１５の内側に容器１１とトレー１６Ｃとを収容すると、容器１１の周面１２の一部がトレー１６Ｃの表面２５に対向するとともに、トレー１６Ｃが台紙１３と容器１１との間に配置され、トレー１６Ｃの開口３６を除く中央部２９が台紙１３の開口３５を除く第１および第２接着領域１４Ａ，１４Ｂの上に位置する。シュリンクフィルム１５の内側に容器１１とトレー１６Ｃとを収容した後、フィルム１５に熱を加え、フィルム１５を加熱する。
【００６２】
シュリンクフィルム１５を加熱すると、フィルム１５が熱収縮し、容器１１とトレー１６Ｃとをシュリンク包装する。フィルム１５が熱収縮すると、フィルム１５が容器１１の周面１２およびトレー１６Ｃの裏面２６に密着するとともに、トレー１６Ｃの両側縁部２７，２８が容器１１の周面１２に沿ってさらに折れ曲がり、両側縁部２７，２８が容器１１の周面１２に当接する（図２援用）。
【００６３】
吊り下げ展示用包装具１０Ｃは、台紙１３と容器１１との間にトレー１６Ｃが配置されており、トレー１６Ｃの上下方向へ延びる平坦な中央部２９の略全域が台紙１３の第１および第２接着領域１４Ａ，１４Ｂの全域に当接するから、シュリンクフィルム１５を加熱し、フィルム１５を熱収縮させた場合であっても、フィルム１５の固着部位３３が領域１４Ａ，１４Ｂの一部に線で固着されることはなく、フィルム１５の固着部位３３がトレー１６Ｃの中央部２９を介して台紙１３の表面１７における領域１４Ａ，１４Ｂの略全域に面で固着される。
【００６４】
なお、台紙１３の表面１７や裏面１８に容器１１に収納された化粧品（製品）の名称や使用方法、性能等の記述をすることができるとともに、所定の意匠を施すことができる。容器１１の外観や容器１１の周面１２に表示された名称やマーク等の記述は、シュリンクフィルム１５を通して台紙１３の表面１７側から確認することができる。
【００６５】
吊り下げ展示用包装具１０Ｃは、シュリンクフィルム１５の台紙１３に対向する固着部位３３がトレー１６Ｃの中央部２９の介在下に第１および第２接着領域１４Ａ，１４Ｂに塗布された接着剤を介して台紙１３の表面１７に面で固着されているから、フィルム１５に密着包装された容器１１の周面１２が円形であったとしても、トレー１６Ｂによってフィルム１５が領域１４Ａ，１４Ｂに面で固着され、フィルム１５が領域１４Ａ，１４Ｂに線で固着されることはなく、フィルム１５を台紙１３の表面１７にしっかりと固着することができる。吊り下げ展示用包装具１０Ｃは、シュリンクフィルム１５を台紙１３から剥離させる方向への力がフィルム１５や容器１１に作用したとしても、台紙１３の表面１７の第１および第２接着領域１４Ａ，１４Ｂにおけるフィルム１５の固着が不用意に解除されることはなく、容器１１の正常な展示状態を維持することができる。
【００６６】
吊り下げ展示用包装具１０Ｃは、厚紙から作られたトレー１６Ｃの両側縁部２７，２８が折り曲げ線３２Ａによって容器１１の周面１２に沿って折れ曲がり、容器１１の周面１２がトレー１６Ｃに支持された状態で容器１１がシュリンクフィルム１５に密着包装されるから、トレー１６Ｃの縁によってフィルム１５が破損することはなく、フィルム１５による容器１１の綺麗な包装状態を維持することができる。吊り下げ展示用包装具１０Ｃは、開口３５，３６を通して台紙１３の裏面１８側から容器１１の周面１２を視認することができ、台紙１３の裏面１８側から容器１１の周面１２に表示された名称やマーク等の記述を認識することができる。
【符号の説明】
【００６７】
１０Ａ  吊り下げ展示用包装具
１０Ｂ  吊り下げ展示用包装具
１０Ｃ  吊り下げ展示用包装具
１１    容器
１２    周面
１３    台紙
１４    接着領
１４Ａ  第１接着領域
１４Ｂ  第２接着領域
１５    シュリンクフィルム
１６Ａ  トレー
１６Ｂ  トレー
１６Ｃ  トレー
１７    表面
１８    裏面
１９    側縁部
２０    側縁部
２１    中央部
２２    上端縁部
２３    下端縁部
２５    表面
２６    裏面
２７    側縁部
２８    側縁部
２９    中央部
３０    上端縁部
３１    下端縁部
３２Ａ  折り曲げ線
３２Ｂ  折り曲げ線
３３    固着部位
３５    開口
３６    開口
【図１】
2013216353.tif 000003
【図２】
2013216353.tif 000004
【図３】
2013216353.tif 000005
【図４】
2013216353.tif 000006
【図５】
2013216353.tif 000007
【図６】
2013216353.tif 000008
【図７】
2013216353.tif 000009
【図８】
2013216353.tif 000010
【図９】
2013216353.tif 000011
【図１０】
2013216353.tif 000012
【図１１】
2013216353.tif 000013
【図１２】
2013216353.tif 000014
【図１３】
2013216353.tif 000015
【図１４】
2013216353.tif 000016
【図１５】
2013216353.tif 000017
【図１６】
2013216353.tif 000018